【手続補正書】
【提出日】平成16年11月30日(2004.11.30)
【手続補正１】
【補正対象書類名】明細書
【補正対象項目名】特許請求の範囲
【補正方法】変更
【補正の内容】
【特許請求の範囲】
【請求項１】
被制御装置を遠隔制御する遠隔制御装置において、
上記遠隔制御装置自身の動きを検出する動き検出手段と、
上記被制御装置へ制御情報を送信する送信手段と、
上記被制御装置から返信情報を受信する受信手段とを備え、
上記動き検出手段において上記遠隔制御装置が停止状態と判断した際に、上記送信手段より上記被制御装置に対して制御情報の送信を行ない、
上記受信手段において、上記被制御装置より上記被制御装置の情報を含んだ上記返信情報を受信することを特徴とする遠隔制御装置。
【請求項２】
請求項１記載の遠隔制御装置において、
上記制御情報の送信に対して、上記受信手段において所定の数より多い上記被制御装置からの上記返信情報を受信した場合、上記返信情報を返信する上記被制御装置が上記所定の数以下になるまで、送信強度を弱めながら上記制御情報の再送を繰り返すことを特徴とする遠隔制御装置。
【請求項３】
請求項１または請求項２に記載の遠隔制御装置において、
上記遠隔制御装置は、上記返信情報をもとに上記被制御装置の操作情報を表示する表示手段と、
上記表示手段に表示された上記操作情報のいずれかを選択して指示する指示手段とをさらに備え、
上記指示手段によって指示された操作情報にしたがって、上記被制御装置に対して新たな制御情報を送信することを特徴とする遠隔制御装置。
【請求項４】
請求項３記載の遠隔制御装置において、
複数の上記返信情報から、返信元の被制御装置を識別する識別手段を備え、
上記識別手段の識別結果に基づき、上記表示手段に上記返信元の被制御装置を表す装置情報と、複数の上記操作情報とを関連付けて表示し、上記指示手段によって、表示された上記装置情報と、上記操作情報とを選択して指示し、指示された被制御装置に対して、指示された操作情報にしたがって、新たな制御情報を送信することを特徴とする遠隔制御装置。
【請求項５】
請求項１乃至請求項４記載の遠隔制御装置において、
上記遠隔制御装置は、自身の停止状態のモードを事前にサンプリングして記憶する記憶手段を備え、
上記遠隔制御装置自身の動き停止をモニタし、モニタ結果が、上記記憶手段に記憶されているサンプリング結果のモードに類似する場合は、上記遠隔制御装置の動きが停止していると判断することを特徴とする遠隔制御装置。
【請求項６】
請求項１乃至請求項５記載の遠隔制御装置において、
上記遠隔制御装置自身の動き検出による処理の中断を指示する中断指示手段を備え、
前記中断指示手段によって処理を中断しているときは、上記制御情報の送信を行わないことを特徴とする遠隔制御装置。
【請求項７】
被制御装置を遠隔制御するための遠隔制御装置の通信制御方法において、
上記遠隔制御装置自身の動きを検出するステップと、
上記動き検出結果が停止状態の時に、上記遠隔制御装置から上記被制御装置に制御情報を送信するステップと、
上記被制御装置から返信情報を受信するステップとを含むことを特徴とする遠隔制御装置の通信制御方法。
【請求項８】
請求項７記載の遠隔制御装置の通信制御方法において、
上記遠隔制御装置が、上記制御情報を送信した際に、複数の被制御装置から所定の数以上の上記返信情報が有ったときには、送信強度を弱めて、再度前と同じ制御情報を送信し、新たに返信情報を返信する上記被制御装置が上記所定の数になるまで、上記制御情報の再送を繰り返すことを特徴とする遠隔制御装置の通信制御方法。
【請求項９】
請求項７または、請求項８記載の遠隔制御装置の通信制御方法において、
上記返信情報をもとに上記被制御装置の操作情報を表示手段に表示するステップと、
上記表示手段に表示された上記操作情報を選択し、指示するステップと、
指示された操作情報に従って、上記被制御装置に対して新たな制御情報を送信するステップとをさらに含むことを特徴とする遠隔制御装置の通信制御方法。
【請求項１０】
請求項９記載の遠隔制御装置の通信制御方法において、
複数の上記返信情報から返信元の被制御装置を識別するステップと、
上記識別結果に基づき、上記表示手段に上記返信元の被制御装置を表す装置情報と、複数の上記操作情報とを関連付けて表示するステップと、
上記表示手段に表示された上記操作情報を選択して指示するステップとを含み、
上記指示された操作情報にしたがって、指示された被制御装置に対して、新たな制御情報を送信することを特徴とする遠隔制御装置の通信制御方法。
【手続補正２】
【補正対象書類名】明細書
【補正対象項目名】０００８
【補正方法】変更
【補正の内容】
【０００８】
【課題を解決するための手段】
本発明の遠隔制御装置は、上記課題を解決するために、被制御装置を遠隔制御する遠隔制御装置において、上記遠隔制御装置自身の動きを検出する動き検出手段と、上記被制御装置へ制御情報を送信する送信手段と、上記被制御装置から返信情報を受信する受信手段とを備え、上記動き検出手段において上記遠隔制御装置が停止状態と判断した際に、上記送信手段より上記被制御装置に対して制御情報の送信を行ない、上記受信手段において、上記被制御装置より上記被制御装置の情報を含んだ上記返信情報を受信する。
また、請求項１記載の遠隔制御装置において、上記制御情報の送信に対して、上記受信手段において所定の数より多い上記被制御装置からの上記返信情報を受信した場合、上記返信情報を返信する上記被制御装置が上記所定の数以下になるまで、送信強度を弱めながら上記制御情報の再送を繰り返す。
【手続補正３】
【補正対象書類名】明細書
【補正対象項目名】０００９
【補正方法】変更
【補正の内容】
【０００９】
また、請求項１または請求項２に記載の遠隔制御装置において、上記遠隔制御装置は、上記返信情報をもとに上記被制御装置の操作情報を表示する表示手段と、上記表示手段に表示された上記操作情報のいずれかを選択して指示する指示手段とをさらに備え、上記指示手段によって指示された操作情報にしたがって、上記被制御装置に対して新たな制御情報を送信する。
【手続補正４】
【補正対象書類名】明細書
【補正対象項目名】００１０
【補正方法】変更
【補正の内容】
【００１０】
そして、請求項３記載の遠隔制御装置において、複数の上記返信情報から、返信元の被制御装置を識別する識別手段を備え、上記識別手段の識別結果に基づき、上記表示手段に上記返信元の被制御装置を表す装置情報と、複数の上記操作情報とを関連付けて表示し、上記指示手段によって、表示された上記装置情報と、上記操作情報とを選択して指示し、指示された被制御装置に対して、指示された操作情報にしたがって、新たな制御情報を送信する。
【手続補正５】
【補正対象書類名】明細書
【補正対象項目名】００１１
【補正方法】変更
【補正の内容】
【００１１】
さらに、請求項１乃至請求項４記載の遠隔制御装置において、上記遠隔制御装置は、自身の停止状態のモードを事前にサンプリングして記憶する記憶手段を備え、上記遠隔制御装置自身の動き停止をモニタし、モニタ結果が、上記記憶手段に記憶されているサンプリング結果のモードに類似する場合は、上記遠隔制御装置の動きが停止していると判断する。また、請求項１乃至請求項５記載の遠隔制御装置において、上記遠隔制御装置自身の動き検出による処理の中断を指示する中断指示手段を備え、前記中断指示手段によって処理を中断しているときは、上記制御情報の送信を行わない。
【手続補正６】
【補正対象書類名】明細書
【補正対象項目名】００１２
【補正方法】変更
【補正の内容】
【００１２】
そして、本発明の遠隔制御装置の通信制御方法は、上記課題を解決するために、被制御装置を遠隔制御するための遠隔制御装置の通信制御方法において、上記遠隔制御装置自身の動きを検出するステップと、上記動き検出結果が停止状態の時に、上記遠隔制御装置から上記被制御装置に制御情報を送信するステップと、上記被制御装置から返信情報を受信するステップとを含む。
【手続補正７】
【補正対象書類名】明細書
【補正対象項目名】００１３
【補正方法】変更
【補正の内容】
【００１３】
さらに、請求項７記載の遠隔制御装置の通信制御方法において、上記遠隔制御装置が、上記制御情報を送信した際に、複数の被制御装置から所定の数以上の上記返信情報が有ったときには、送信強度を弱めて、再度前と同じ制御情報を送信し、新たに返信情報を返信する上記被制御装置が上記所定の数になるまで、上記制御情報の再送を繰り返す。
また、請求項７または、請求項８記載の遠隔制御装置の通信制御方法において、上記返信情報をもとに上記被制御装置の操作情報を表示手段に表示するステップと、上記表示手段に表示された上記操作情報を選択し、指示するステップと、指示された操作情報に従って、上記被制御装置に対して新たな制御情報を送信するステップとをさらに含む。
【手続補正８】
【補正対象書類名】明細書
【補正対象項目名】００１４
【補正方法】変更
【補正の内容】
【００１４】
そして、請求項９記載の遠隔制御装置の通信制御方法において、複数の上記返信情報から返信元の被制御装置を識別するステップと、上記識別結果に基づき、上記表示手段に上記返信元の被制御装置を表す装置情報と、複数の上記操作情報とを関連付けて表示するステップと、上記表示手段に表示された上記操作情報を選択して指示するステップとを含み、上記指示された操作情報にしたがって、指示された被制御装置に対して、新たな制御情報を送信する。
【手続補正９】
【補正対象書類名】明細書
【補正対象項目名】００１５
【補正方法】削除
【補正の内容】